(57)【要約】【課題】  レジン、硬質レジン、または、コンポジットレジンの人工歯であって、義歯床と強固な接着が得られ、咬合や咀嚼等によって発生する応力、または、熱い食物や冷たい食物等との接触や口腔内体温による人工歯と義歯床との熱膨張の差によるパーコレーション現象等が繰り返されても、人工歯の義歯床に埋設された部分での界面剥離や間隙が生じにくく、長期にわたり義歯床から脱落することがない人工歯を提供する。【解決手段】  レジン、硬質レジン、または、コンポジットレジンの人工歯であって、該人工歯１の基底面６が梨地状に粗面化されてなることを特徴とする。【選択図】  図１
0003105166.tif 000002
【実用新案登録請求の範囲】
【請求項１】
レジン、硬質レジン、または、コンポジットレジンの人工歯であって、該人工歯の基底面が粗面化されてなることを特徴とする人工歯。
【請求項２】
前記人工歯の基底面が梨地状に粗面化されたものであることを特徴とする請求項１記載の人工歯。
【請求項３】
前記人工歯の基底面に維持用孔が形成されていることを特徴とする請求項１または２記載の人工歯。
【考案の詳細な説明】
【技術分野】
【０００１】
この考案は、レジン系の人工歯に関するものである。さらに詳しくは、この考案は、レジン、硬質レジン、または、コンポジットレジンの人工歯に関するものである。
【背景技術】
【０００２】
義歯に使用する人工歯としては、従来より、高価な陶歯と比べ、安価で、品質が一定しているものが得られることから、成形型によって製造されるレジン歯、硬質レジン歯、コンポジットレジン歯といったレジン系の人工歯（以下「人工歯」は、特に断らない限り「レジン歯、硬質レジン歯、コンポジットレジン歯」を意味する。）が広く使用されている。
【０００３】
図７に、従来の前歯用の人工歯４１を示す。このような人工歯４１を用いた義歯は、作業模型上に形成された咬合床に人工歯を排列した後、歯肉を形成して蝋義歯を作製し、該蝋義歯をフラスコ埋没し、流蝋してできた空洞部に義歯床用のペースト状レジンまたは餅状レジンを填入して、重合硬化させ、人工歯の基底面側を義歯床内に埋設接着して作製されるのが一般的である。図８は、図７の人工歯４１が義歯床４２に埋設接着された状態を示す説明図である。
このようにして作製された義歯は、口腔内に装着されて使用されるが、例えば、前歯においては、ものを噛み切ろうとした時に歯軸と偏在した方向に働く力によってモーメントが生じ、基底面側と義歯床の接着界面部が容易に破壊したり、界面剥離し、比較的短期間のうちに義歯床から脱落することになる。臼歯の人工歯においては、咀嚼時等に基底面側と義歯床との接着界面部が破壊したり、界面剥離し、比較的短期間のうちに義歯床から脱落することになる。これは、通常、人工歯の製造は成形型によって行われものであり、人工歯の基底面に対応する成形型の箇所の表面が滑らかであり、成形によって、人工歯の基底面は成形型の面を転写した滑らかなものとなり、義歯床との良好な接着が得にくいことによると解されている。
【０００４】
このようなことから、図９に示されるように、人工歯４５の基底面４６に維持孔４７を設け、該維持孔４７の中に義歯床用レジンを侵入させ突起状部を形成することで、人工歯４５の義歯床からの脱落を防止することが試みられている（例えば、特許文献１参照）。維持孔を有する人工歯を義歯床に埋設接着させた義歯とすることで、咀嚼等を繰り返しても人工歯が義歯床から脱落しにくく、比較的長期にわたり使用することができることになる。
【０００５】
ところで、人工歯と義歯床との材質を完全に同一とすることは困難であり、弾性率等の機械的性質、熱膨張率等の熱適性質等が相違する。そのため、このような維持孔を有する人工歯を用いた義歯において、咬合や咀嚼等によって発生する応力、または、熱い食物や冷たい食物等との接触や口腔内体温による人工歯と義歯床との熱膨張の差によるパーコレーション現象等が繰り返されることによって、義歯床に埋設された人工歯の基底面等と義歯床との接着界面部での不連続な界面剥離や間隙が生じることになる。このような状態でも、人工歯の基底面の維持孔に侵入した義歯床の突起状部によって、人工歯の義歯床からの脱落はまぬがれる。しかしながら、この状態において、更に咬合、咀嚼、熱い食物等との接触等が繰り返されると、突起状部の根元付近に応力が集中し、かかる箇所が比較的短期間で破損し、義歯床から人工歯が脱落することになる。
また、人工歯の基底面等と義歯床との接着界面部での不連続な界面剥離や間隙が生じた状態においては、咬合や咀嚼する際に、人工歯がガタついたりして咀嚼感や咀嚼効率等が劣ることにもなる。
そして、義歯床に埋設された人工歯の周囲に間隙が生ずると、食物残渣、唾液、細菌等が侵入し、義歯が着色したり、異臭を帯びたりすることになる。
【特許文献１】登録実用新案第３０６４１３８号公報（図２、図４）
【考案の開示】
【考案が解決しようとする課題】
【０００６】
この考案は、上記のような実情に鑑み鋭意研究の結果創案されたものであり、レジン、硬質レジン、または、コンポジットレジンの人工歯であって、義歯床と強固に接着し、咬合や咀嚼を繰り返しても人工歯の義歯床に埋設された部分での界面剥離や間隙が生じにくく、長期にわたり義歯床から脱落することがない人工歯を提供することを目的としている。
【課題を解決するための手段】
【０００７】
上記課題を解決するために、この考案は、レジン、硬質レジン、または、コンポジットレジンの人工歯であって、該人工歯の基底面が粗面化されてなることを特徴とする。
そして、前記人工歯の基底面が梨地状に粗面化されたものであることが好ましい。
また、前記人工歯の基底面に維持用孔が形成されているものであることが好ましい。
【０００８】
以下、更に説明する。
人工歯の基底面を粗面にするには、人工歯の基底面に相当する箇所が粗面化された人工歯の成形型を用い、人工歯を成形することで、成形型の粗面を転写させれば、容易かつ確実に人工歯の基底面を粗面化することができることから好ましい。人工歯の基底面に相当する箇所が滑らかな成形型を使用して、基底面が滑らかな人工歯を製造し、該人工歯の基底面を粗面化加工してもよい。この場合には、既製の人工歯を用いることができる。人工歯の粗面化加工としては、サンドブラストによる加工、サンドペーパーによる加工が例示できる。
滑らかな基底面を有する人工歯にサンドブラストによる加工をおこなって粗面化する場合は、例えば、基底面に維持孔が形成されている人工歯は、維持孔も粗面化することができる。維持孔を粗面化する必要がない場合は、維持孔をマスキング、例えば、維持孔にワックスを充填して、人工歯の基底面をサンドブラスト加工した後、ワックスを除去すればよい。
【０００９】
人工歯の基底面の粗面化形状は、梨地状に限られず、義歯床との強固な接着がえられ、咬合や咀嚼等によって発生する応力、または、熱い食物や冷たい食物等との接触や口腔内体温による人工歯と義歯床との熱膨張の差によるパーコレーション現象等が繰り返されることによっても、義歯床に埋設された人工歯の基底面等と義歯床との接着界面部での不連続な界面剥離や間隙が生じない条件を満たすものであればよく、例えば、微細な十字や三角形状の溝によって形成された粗面、微細半球状の凸部が基底面に分布したものが例示できる。
【考案の効果】
【００１０】
この考案は、以上説明したように構成されているので、以下に記載されるような効果を奏する。
この考案の人工歯の基底面は、粗面化されており、義歯床との強固な接着が得られ、そのため、咬合や咀嚼、または、パーコレーション現象等が繰り返されても、義歯床に埋設された人工歯の基底面等と義歯床との接着界面部での不連続な界面剥離や間隙が生じにくい。人工歯の基底面と義歯床との接着が強固なのは、基底面が粗面化されることで、義歯床との接着面積が格段に広くなることと、粗面化により基底面の凹凸が義歯床にアンカーのように機能すること等によるものと考えられる。
そのため、咬合や咀嚼する際に、人工歯がガタついたりすることがなく、咀嚼感や咀嚼効率等が劣ることがない。また、義歯床に埋設された人工歯の周囲に間隙が生じにくいことから、食物残渣、唾液、細菌等が人工歯と義歯床との間に侵入する恐れがなく、義歯が着色したり、異臭を帯びたりすることがない。
【００１１】
また、人工歯の基底面に維持用孔が形成されていると、該人工歯を用いた義歯は、人工歯の基底面の維持孔に義歯床の材料が侵入し突起状部が形成されることから、咬合や咀嚼、または、パーコレーション現象等が繰り返されても、突起状部が一種の杭のように機能し、義歯床に埋設された人工歯の基底面等と義歯床との接着界面部での不連続な界面剥離や間隙の発生をより確実に防止することになる。そして、咬合や咀嚼する際に、人工歯がガタついたりすることがなく、咀嚼感や咀嚼効率等が劣ることがなく、また、義歯床に埋設された人工歯の周囲に間隙が生じにくく、食物残渣、唾液、細菌等が人工歯と義歯床との間に侵入する恐れがなく、義歯が着色したり、異臭を帯びたりすることがない。
【考案を実施するための最良の形態】
【００１２】
以下、考案を実施するための最良の形態を示し、さらに詳しくこの考案について説明する。もちろんこの考案は以下の実施の形態によって限定されるものではない。
【００１３】
図１は、この考案の人工歯の一実施の形態であって、上顎の第１切歯用の人工歯１を示し、（ａ）は舌側の概略正面図、（ｂ）は近心側の概略側面図である。図２に、図１に示す人工歯１が義歯床２に埋設された義歯３を示す。
第１切歯の人工歯１は、図１に示されるように、概略、切縁を有する歯冠部４、カラー部５、および、基底面６とからなる。基底面６のほぼ中央位置には、基底面６から唇側に向かって円形の有底の柱状孔７が形成され、該柱状孔７を除き、基底面６が梨地状に粗面化されている。
人工歯の基底面に梨地状の粗面を形成するには、成形型の基底面に相当する箇所をサンドブラストして梨地状の粗面を設けたものを用い、人工歯を成形することで、成形型の梨地状の粗面を転写させ、人工歯の基底面を梨地状の粗面とすればよい。
【００１４】
義歯３は、図２に示されるように、第１切歯の人工歯１のカラー部５、及び、基底面６が義歯床２に埋設され、基底面６に設けられた有底の柱状孔７に義歯床のレジンが侵入し、突起状部２ａが形成されており、人工歯１の梨地状の基底面６と義歯床２との間に充分な接着強度が得られることになる。第１切歯の人工歯１によれば、咬合や咀嚼、または、熱い食物や冷たい食物等との接触や口腔内体温による人工歯１と義歯床２との熱膨張の差によるパーコレーション現象等が繰り返されても、突起状部２ａが一種の杭のように機能し、義歯床２に埋設された人工歯１の基底面等と義歯床２との接着界面部での不連続な界面剥離や間隙の発生をより確実に防止することになる。そして、咬合や咀嚼する際に、人工歯１がガタついたりすることがなく、咀嚼感や咀嚼効率等が劣ることがなく、また、義歯床２に埋設された人工歯１の周囲に間隙が生じにくく、食物残渣、唾液、細菌等が人工歯１と義歯床２との間に侵入する恐れがなく、義歯３が着色したり、異臭を帯びたりすることがない。
【００１５】
図２に示す義歯３は、一般的な技工作業によって作製できるものであって、例えば、作業模型上に形成された咬合床に人工歯１を排列した後、歯肉を形成して蝋義歯とし、得られた蝋義歯をフラスコ内に埋没し、流蝋してできた空洞部に義歯床用のレジンペーストまたは餅状レジンを填入し、重合硬化させればよい。
【００１６】
図３は、この考案の人工歯の他の実施の形態であって、上顎の第２小臼歯の人工歯１１を示し、（ａ）は舌側の概略正面図、（ｂ）は近心側の概略側面図である。図４は、図３に示された人工歯１１が義歯床１２に埋設された義歯１３を示す。
この人工歯１１は、図３に示されるように、概略、咬頭を有する歯冠部１４、カラー部１５、および、基底面１６とからなる。基底面１６のほぼ中央位置には、基底面１６から咬頭に向かって円形の有底の柱状孔１７が形成され、該柱状孔１７を除き、基底面１６が梨地状に粗面化されている。
【００１７】
義歯１３は、図４に示されるように、第２小臼歯の人工歯１１のカラー部１５、及び、基底面１６が義歯床１２に埋設され、基底面１６に設けられた有底の柱状孔１７に義歯床のレジンが侵入し、突起状部１２ａが形成されており、人工歯１１の梨地状の基底面１６と義歯床１２との間に充分な接着強度が得られることになる。この人工歯１１によれば、咬合や咀嚼、または、熱い食物や冷たい食物等との接触や口腔内体温による人工歯１１と義歯床１２との熱膨張の差によるパーコレーション現象等が繰り返されても、突起状部１２ａが一種の杭のように機能し、義歯床１２に埋設された人工歯１１の基底面等と義歯床１２との接着界面部での不連続な界面剥離や間隙の発生をより確実に防止することになる。そして、咬合や咀嚼する際に、人工歯１１がガタついたりすることがなく、咀嚼感や咀嚼効率等が劣ることがなく、また、義歯床１２に埋設された人工歯１１の周囲に間隙が生じにくく、食物残渣、唾液、細菌等が人工歯１１と義歯床１２との間に侵入する恐れがなく、義歯１３が着色したり、異臭を帯びたりすることがない。
【００１８】
図５は、この考案の人工歯の更に他の実施の形態であって、上顎の第１切歯用の人工歯２１を示し、（ａ）は舌側の概略正面図、（ｂ）は近心側の概略側面図である。
この人工歯２１は、図５に示されるように、概略、切縁を有する歯冠部２２、カラー部２３、および、基底面２４とからなる。基底面２４のほぼ中央位置には、断面円弧状の窪み２５が形成されており、該窪み２５も含め基底面２４が梨地状に粗面化されているものである。
【００１９】
図６は、この考案の人工歯の更に他の実施の形態であって、上顎の第１切歯用の人工歯３１を示し、（ａ）は舌側の概略正面図、（ｂ）は近心側の概略側面図である。
この人工歯３１は、図６に示されるように、概略、切縁を有する歯冠部３２、カラー部３３、および、基底面３４とからなる。この人工歯３１は、基底面３４に維持孔や窪みを有しないもので、基底面３４全体が梨地状に粗面化とされているものである。
【００２０】
ところで、ＰＭＭＡからなる人工歯（商品名；リブデントグレース、（株）ジーシーデンタルプロダクツ製）の基底面を平均粒径５０μｍの酸化アルミナによってサンドブラスト加工し、梨地状の粗面を得たものを使用して、通法に従い、全部床義歯を作製した。これを被験者に装着したところ、長期にわたり、人工歯の義歯床からの脱落や、ガタつき等の発生がなく、咀嚼感や咀嚼効率等が劣化したり、義歯床に埋設された人工歯の周囲に間隙が生ぜず、食物残渣、唾液、細菌等が人工歯と義歯床との間に侵入したり、義歯が着色したり、異臭を帯びたりすることがなかった。
なお、ここで使用した人工歯は維持孔を有するものであり、人工歯の基底面に梨地状の粗面を形成するに際しては、維持孔にワックスを充填し、その状態において、基底面をサンドブラスト加工した。義歯床は、ＰＭＭＡ粒子をＭＭＡによって膨潤させた餅状レジンを用い、加熱重合によって硬化させた。
【図面の簡単な説明】
【００２１】
【図１】この考案の人工歯の一実施の形態を示し、（ａ）は舌側の概略正面図、（ｂ）は近心側の概略側面図である。
【図２】図１の人工歯の使用状態を示す説明図である。
【図３】この考案の人工歯の他の実施の形態を示し、（ａ）は舌側の概略正面図、（ｂ）は近心側の概略側面図である。
【図４】図２の人工歯の使用状態を示す説明図である。
【図５】この考案の人工歯の更に他の実施の形態を示し、（ａ）は舌側の概略正面図、（ｂ）は近心側の概略側面図である。
【図６】この考案の人工歯の更に他の実施の形態を示し、（ａ）は舌側の概略正面図、（ｂ）は近心側の概略側面図である。
【図７】従来の前歯用の人工歯の一例を示し、（ａ）は舌側の概略正面図、（ｂ）は近心側の概略側面図である。
【図８】図７の人工歯の使用状態を示す説明図である。
【図９】従来の前歯用の人工歯の他例を示し、（ａ）は舌側の概略正面図、（ｂ）は近心側の概略側面図である。
【符号の説明】
【００２２】
１  人工歯
２  義歯床
３  義歯
４  歯冠部
５  カラー部
６  基底面
【図１】
0003105166.tif 000003
【図２】
0003105166.tif 000004
【図３】
0003105166.tif 000005
【図４】
0003105166.tif 000006
【図５】
0003105166.tif 000007
【図６】
0003105166.tif 000008
【図７】
0003105166.tif 000009
【図８】
0003105166.tif 000010
【図９】
0003105166.tif 000011